(57)【特許請求の範囲】
【請求項１】
伸縮性を有し、脚部にフィットさせて着用する筒状の下肢部サポート用被服で、膝関節をカバーし、且つ少なくとも膝関節を上下に越える長さを有し、当該被服は緊締力の強い伸縮性部を有し、前記緊締力の強い伸縮性部が、人体の膝関節の内側側面の側副靭帯を実質的にカバーし、前記膝関節の内側側面の緊締力の強い伸縮性部の緊締力が、膝関節の外側側面をカバーする部分の緊締力よりも強い緊締力を有してなる下肢部サポート用被服。
【請求項２】
伸縮性を有し、脚部にフィットさせて着用する筒状の下肢部をサポートする被服で、膝関節をカバーし、且つ膝関節から上方の部分は大腿部の長さの１／２以上の長さを有しており、膝関節から下方の部分は膝蓋骨下端から２ｃｍ以上の長さを有している下肢部をサポートする被服であって、当該被服は緊締力の強い伸縮性部を有し、前記緊締力の強い伸縮性部として、人体の膝関節の内側側面の側副靭帯を実質的にカバーし、且つ膝関節の上方においては、少なくとも大腿部の長さの１／４以上の長さを有していて、縫工筋、半腱様筋、半膜様筋及び薄筋からなる筋群から選ばれたいずれか少なくとも1つに沿って設けられている緊締力の強い伸縮性部（Ａ）を有し、前記膝関節の内側側面の緊締力の強い伸縮性部の緊締力が、膝関節の外側側面をカバーする部分の緊締力よりも強い緊締力を有してなる下肢部サポート用被服。
【請求項３】
伸縮性を有し、脚部にフィットさせて着用する筒状の下肢部をサポートする被服で、膝関節をカバーし、且つ膝関節から上方の部分は大腿部の長さの１／２以上の長さを有しており、膝関節から下方の部分は膝関節から踝までの下腿部の長さの１／２以上の長さを有している下肢部をサポートする被服であって、当該被服は緊締力の強い伸縮性部を有し、前記緊締力の強い伸縮性部として、人体の膝関節の内側側面の側副靭帯を実質的にカバーし、且つ膝関節の上方においては、少なくとも大腿部の長さの１／４以上の長さを有していて、縫工筋、半腱様筋、半膜様筋及び薄筋からなる筋群から選ばれたいずれか少なくとも1つに沿って設けられている緊締力の強い伸縮性部（Ａ）を有し、前記膝関節の内側側面の緊締力の強い伸縮性部の緊締力が、膝関節の外側側面をカバーする部分の緊締力よりも強い緊締力を有してなる下肢部サポート用被服。
【請求項４】
伸縮性を有し、脚部にフィットさせて着用する筒状の下肢部をサポートする被服で、膝関節をカバーし、且つ膝関節から上方の部分は大腿部の長さの１／２以上の長さを有しており、膝関節から下方の部分は膝関節から踝までの下腿部の長さの１／２以上の長さを有している下肢部をサポートする被服であって、当該被服は緊締力の強い伸縮性部を有し、前記緊締力の強い伸縮性部として、人体の膝関節の内側側面の側副靭帯を実質的にカバーし、且つ膝関節の上方においては、少なくとも大腿部の長さの１／２以上の長さを有していて、縫工筋、半腱様筋、半膜様筋及び薄筋からなる筋群から選ばれたいずれか少なくとも1つに沿って設けられている緊締力の強い伸縮性部（Ａ）を有し、前記膝関節の内側側面の緊締力の強い伸縮性部の緊締力が、膝関節の外側側面をカバーする部分の緊締力よりも強い緊締力を有してなる下肢部サポート用被服。
【請求項５】
下肢部サポート用被服が、膝関節をカバーし、且つ膝関節から上方の部分は膝関節から股下までの大腿部の長さの１／２以上の長さを有しており、膝関節から下方の部分は膝関節から踝までの長さを有している被服である請求項３または４のいずれかに記載の下肢部サポート用被服。
【請求項６】
緊締力の強い伸縮性部（Ａ）で表わされる部分が、人体の膝関節の内側側面の側副靭帯を実質的にカバーし、更に、膝蓋骨の人体内側側部側の周囲近辺に沿って少なくとも膝蓋骨の周囲の１／４以上を取り囲んでいて膝蓋骨の下側部分の少なくとも一部をカバーし、内側の腓腹筋の上部側方に至っており、膝関節上側においては、大腿部をその内側から前側を通り外側に向かってほぼ縫工筋に沿っている緊締力の強い伸縮性部（Ａ３１）である請求項３または４のいずれかに記載の下肢部サポート用被服。
【請求項７】
緊締力の強い伸縮性部（Ａ３１）で表わされる部分が、更に内側の腓腹筋側方から内側ヒラメ筋側方を通り内踝上近傍に至っている緊締力の強い伸縮性部（Ａ３１−１）を有している請求項６に記載の下肢部サポート用被服。
【請求項８】
緊締力の強い伸縮性部（Ａ３１）で表わされる部分が、更に、膝蓋骨の人体内側側部側の周囲近辺から膝蓋骨の上側部分の少なくとも一部をカバーしている緊締力の強い伸縮性部である請求項６に記載の下肢部サポート用被服。
【請求項９】
更に、被服上端からほぼ腸脛靭帯に沿って下降し膝蓋骨の外側側部側に至り、膝蓋骨の下側部分の少なくとも一部をカバーし、外側の腓腹筋の上部側方に至っている緊締力の強い伸縮性部（Ｂ３）を有している請求項６に記載の下肢部サポート用被服。
【請求項１０】
緊締力の強い伸縮性部（Ａ）で表わされる部分が、人体の膝関節の内側側面の側副靭帯を実質的にカバーし、更に、膝蓋骨の人体内側側部側の周囲近辺に沿って少なくとも膝蓋骨の周囲の１／４以上を取り囲んでいて膝蓋骨の下側部分の少なくとも一部をカバーし、内側の腓腹筋の上部側方に至っており、膝関節上側においては、大腿部を半腱様筋、半膜様筋及び薄筋からなる筋群から選ばれた少なくとも１種の筋肉に沿って被服上端部に至っている緊締力の強い伸縮性部（Ａ３２）である請求項２または３のいずれかに記載の下肢部サポート用被服。
【請求項１１】
更に、被服上端部からほぼ腸脛靭帯に沿って下降し膝蓋骨の外側側部側に至り、膝蓋骨の下側部分の少なくとも一部、又は、膝蓋骨の上側部分及び下側部分の少なくとも一部をカバーし、外側の腓腹筋の上部側方に至っている緊締力の強い伸縮性部（Ｂ３）を有している請求項６に記載の下肢部サポート用被服。
【請求項１２】
膝関節の内側側面の側副靭帯上に存在する緊締力の強い伸縮性部の少なくとも前記側副靭帯上の領域を、被服本体の縫製ラインが通っていない請求項１または２のいずれかに記載の下肢部サポート用被服。
【請求項１３】
緊締力の強い伸縮性部が、（ａ）編み組織の切り替え、または、（ｂ）編み組織の切り替えと使用される弾性糸の太さまたは弾性糸の使用本数密度の変化の組み合わせから選ばれたいずれかの手法により形成されている請求項１または２のいずれかに記載の下肢部サポート用被服。
【請求項１４】
編み組織の切り替えが、（Ｉ）丸編みの編み組織の切り替え、または、（II）ジャカードラッシェル編みないしジャカードトリコット編みの地編み組織の切り替えである請求項１３に記載の下肢部サポート用被服。
【請求項１５】
筒状の下肢部サポート用被服が、端部始末不要な上下端部を有するパワーネットからなり、筒状の下肢部サポート用被服の上下端部が前記パワーネットの端部始末不要な上下端部となるようにした請求項１または２のいずれかに記載の下肢部サポート用被服。
【発明の詳細な説明】
技術分野
本発明は、下肢部サポート用被服に関するものであり、特に本発明は、比較的緊締力の強い伸縮性部を特定部分に有する伸縮性のほぼ筒状の下肢部サポート用被服に関するものである。
背景技術
加齢により膝を支える筋肉や靱帯の衰えや、スポーツなどによる膝の傷害など、膝は整形外科関係で最もトラブルの多い部位である。
近年かかる膝の傷害の治療や保護のために、人体の必要個所にテーピングを施したり、コルセットを着用することは、しばしば行われている。
しかし、テーピングは、自分自身で施すことは困難であり、他の人にテーピングしてもらう必要があるが、素人ではテーピングはできないので、専門家にいちいちテーピングをしてもらう必要があり、着脱が不便である。また、長時間着用することができないし、皮膚障害に繋がることもある等の問題がある。また、膝関節を固定してしまい、膝関節の動きの自由度がかなり低下する。一方、コルセットを用いた場合には、膝蓋骨を十分に自由にしていないため、同様に膝関節の動きの自由度がかなり低下する。
近年は、特定の筋肉をサポートする各種の被服が提案されている。（日本特開平４-３４３８６８号、日本特開平４-５７９０２号、日本特開平４-５０３０２号、日本特開平８−８１８０７号、日本特開平９−２４１９０６号、日本特開平１０−２８０２０９号など)。
このような筋肉サポート機能を有する被服としては、通常、サポートしたい筋肉上、またはその筋肉の脇側に緊締力の比較的強い部分を設けた被服が用いられている。
しかし、これらの筋肉サポート機能を有する被服は、それほど膝の保護という点に注目されて設計されていない。
人間は立っているだけでも膝が外反しようとする傾向にある。すなわち、脚部は膝関節内側側面を頂点として内側に凸に曲がろうとする力がかかり、膝関節の内側側面の側副靭帯（以下、これを内側側副靭帯と称する）にテンションがより多くかかってくる。内側側副靭帯は、その上を縫工筋、半腱様筋、半膜様筋及び薄筋の下側の腱の部分で覆われており保護されている。しかしこれらの筋肉が疲労したり、加齢により筋力が低下すると靱帯だけでは耐えきれなくなり膝が不安定になる。
ところで、今まで人体の膝関節の内側側副靭帯に注目してこれをサポートするための被服については、ほとんど検討されてきていない。ところが膝関節疾患の中でも膝内側側副靭帯損傷は統計的にかなり多い疾患でる。従って、膝の動きの自由度は確保し、しかも膝のサポートを十分行うには、内側側副靭帯を主体に検討すべきであることがわかった。
内側側副靭帯は膝関節の内側側面において、大腿骨下端部近傍と頚骨上端部近傍をつなぐような形で膝関節の内側側面やや後ろ寄りに存在している。内側側副靭帯と反対側の膝関節の外側側面には外側側副靭帯が存在し、膝関節の外側側面において大腿骨下端部近傍と腓骨上端部近傍をつなぐような形で存在している。しかし、外側側副靭帯疾患は、内側側副靭帯疾患に比べてかなり少なく、内側側副靭帯疾患が多い。この理由としては、内側側副靭帯は外側側副靭帯に比べて引っ張り強度が小さく、断裂に至るまでの伸びも小さいからである。すなわち、強靱性と弾力性において内側側副靭帯は外側側副靭帯に比べて劣っている。
前述したように内側側副靭帯は、その上を縫工筋、半腱様筋、半膜様筋あるいは薄筋の下側の腱の部分で覆われており、しかも膝関節の内側側面の若干後ろよりに存在するので、今まで筋肉サポート被服の提案においては、内側側副靭帯のサポートに注目してこれを具体的に取り上げたものは見あたっていない。
そこで、本発明者らは内側側副靭帯のサポートを中心に検討することによって、より効率よく膝を保護し、膝関節を安定に保ち、しかも膝関節の動きの自由度をあまり低下させず、着用感も良好で、膝の不安定さから生じる膝痛などの予防や、軽減、さらには、スポーツその他で生じる内側側副靭帯損傷の予防にも有用な下肢部サポート用被服を提供することを目的とするものである。
発明の要約
上記の課題を解決するために、本発明は、次の様な下肢部サポート用被服を提供するものである。
（１）伸縮性を有し、脚部にフィットさせて着用するほぼ筒状の下肢部サポート用被服で、膝関節をカバーし、且つ少なくとも膝関節を上下に越える長さを有し、当該被服は比較的緊締力の強い伸縮性部を有し、前記比較的緊締力の強い伸縮性部が、人体の膝関節の内側側面の側副靭帯を実質的にカバーし、前記膝関節の内側側面の比較的緊締力の強い伸縮性部の緊締力が、膝関節の外側側面をカバーする部分の緊締力よりも強い緊締力を有してなる下肢部サポート用被服。
本発明のほぼ筒状の下肢部サポート用被服は、比較的緊締力の強い伸縮性部が、人体の膝関節の内側側面の側副靭帯を実質的にカバーし、前記膝関節の内側側面の比較的緊締力の強い伸縮性部の緊締力が、膝関節の外側側面をカバーする部分の緊締力よりも強い緊締力を有しているので、膝を保護し、膝関節を安定に保ち、しかも膝関節の動きの自由度をあまり低下させず、着用感も良好で、膝の不安定さから生じる膝痛などの予防や、軽減、さらには、スポーツその他で生じる内側側副靭帯損傷の予防にも有用な下肢部サポート用被服を提供できる。
しかも、左右別々に分かれている筒状の被服なので、左右の脚部の内、一方の脚部のみに装着することもできる。また、コストもスパッツやタイツ形状のものに比べて安価なものが供給できる。
（２）伸縮性を有し、脚部にフィットさせて着用するほぼ筒状の下肢部をサポートする被服で、膝関節をカバーし、且つ膝関節から上方の部分は大腿部の長さの１／２以上の長さを有しており、膝関節から下方の部分は膝蓋骨下端から２ｃｍ以上の長さを有している下肢部をサポートする被服であって、当該被服は比較的緊締力の強い伸縮性部を有し、前記比較的緊締力の強い伸縮性部として、人体の膝関節の内側側面の側副靭帯を実質的にカバーし、且つ膝関節の上方においては、少なくとも大腿部の長さの１／４以上の長さを有していて、縫工筋、半腱様筋、半膜様筋及び薄筋からなる筋群から選ばれたいずれか少なくとも１つに沿って設けられている比較的緊締力の強い伸縮性部（Ａ）を有し、前記膝関節の内側側面の比較的緊締力の強い伸縮性部の緊締力が、膝関節の外側側面をカバーする部分の緊締力よりも強い緊締力を有してなる下肢部サポート用被服。
本発明のこの筒状の下肢部サポート用被服は、膝関節をカバーし、且つ膝関節から上方の部分は大腿部の長さの１／４以上の長さを有しており比較的緊締力の強い伸縮性部（Ａ）が内側側副靭帯をサポートし、さらに（Ａ）が膝関節の上方において、前記内側側副靭帯の上に存在して上方に伸びている縫工筋、半腱様筋、半膜様筋及び薄筋からなる筋群から選ばれたいずれかをサポートしており、このように上方に伸びている部分で内側側副靭帯をサポートしている比較的緊締力の強い伸縮性部を引っ張るようなパワーが作用するので、より内側側副靭帯のサポート力が向上し、また、内側側副靭帯とともに膝関節をサポートしている縫工筋、半腱様筋、半膜様筋及び薄筋のいずれか少なくとも一つを比較的緊締力の強い伸縮性部がサポートするのでこの両者の総合作用から、膝を保護し、膝関節を安定に保ち、しかも膝関節の動きの自由度をあまり低下させず、着用感も良好で、膝の不安定さから生じる膝痛などの予防や、軽減、さらには、スポーツその他で生じる内側側副靭帯損傷の予防にも有用な下肢部サポート用被服を提供できる。
（３）伸縮性を有し、脚部にフィットさせて着用するほぼ筒状の下肢部をサポートする被服で、膝関節をカバーし、且つ膝関節から上方の部分は大腿部の長さの１／２以上の長さを有しており、膝関節から下方の部分は膝関節から踝までの下腿部の長さの１／２以上の長さを有している下肢部をサポートする被服であって、当該被服は比較的緊締力の強い伸縮性部を有し、前記比較的緊締力の強い伸縮性部として、人体の膝関節の内側側面の側副靭帯を実質的にカバーし、且つ膝関節の上方においては、少なくとも大腿部の長さの１／４以上の長さを有していて、縫工筋、半腱様筋、半膜様筋及び薄筋からなる筋群から選ばれたいずれか少なくとも１つに沿って設けられている比較的緊締力の強い伸縮性部（Ａ）を有し、前記膝関節の内側側面の比較的緊締力の強い伸縮性部の緊締力が、膝関節の外側側面をカバーする部分の緊締力よりも強い緊締力を有してなる下肢部サポート用被服。
本発明のこの下肢部サポート用被服は、大腿部をカバーする長さが少なくとも大腿部の長さの１／２以上の長さを有し、しかも、膝関節から下方の部分は膝関節から踝までの下腿部の長さの１／２以上の長さを有していることにより、（２）項で述べた大腿部上側に伸びている部分で内側側副靭帯をサポートしている比較的緊締力の強い伸縮性部を引っ張るようなパワーがより強く作用するので、より内側側副靭帯のサポート力が向上した下肢部サポート用被服が提供でき好ましい。
（４）伸縮性を有し、脚部にフィットさせて着用するほぼ筒状の下肢部をサポートする被服で、膝関節をカバーし、且つ膝関節から上方の部分は大腿部の長さの１／２以上の長さを有しており、膝関節から下方の部分は膝関節から踝までの下腿部の長さの１／２以上の長さを有している下肢部をサポートする被服であって、当該被服は比較的緊締力の強い伸縮性部を有し、前記比較的緊締力の強い伸縮性部として、人体の膝関節の内側側面の側副靭帯を実質的にカバーし、且つ膝関節の上方においては、少なくとも大腿部の長さの１／２以上の長さを有していて、縫工筋、半腱様筋、半膜様筋及び薄筋からなる筋群から選ばれたいずれか少なくとも１つに沿って設けられている比較的緊締力の強い伸縮性部（Ａ）を有し、前記膝関節の内側側面の比較的緊締力の強い伸縮性部の緊締力が、膝関節の外側側面をカバーする部分の緊締力よりも強い緊締力を有してなる下肢部サポート用被服。
本発明のこの下肢部サポート用被服は、大腿部をカバーする長さが少なくとも大腿部の長さの１／２以上の長さを有し、しかも、膝関節から下方の部分は膝関節から踝までの下腿部の長さの１／２以上の長さを有していて、しかも比較的緊締力の強い伸縮性部が、人体の膝関節の内側側面の側副靭帯を実質的にカバーし、且つ膝関節の上方においては、少なくとも大腿部の長さの１／２以上の長さを有していてることにより、比較的緊締力の強い伸縮性部が上方により長く伸びているので、内側側副靭帯をサポートしている比較的緊締力の強い伸縮性部を引っ張るようなパワーがより強く作用するので、より内側側副靭帯のサポート力が向上した下肢部サポート用被服が提供でき好ましい。
（５）下肢部サポート用被服が、膝関節をカバーし、且つ膝関節から上方の部分は膝関節から股下までの大腿部の長さの１／２以上の長さを有しており、膝関節から下方の部分は膝関節から踝までの長さを有している被服である前記（３）項または（４）項のいずれかに記載の下肢部サポート用被服。
上記本発明の好ましい態様とすることにより、膝関節から下方の部分は膝関節から踝までの長さを有しているので、締め付け圧力に敏感な大腿部への締め付け面積を少なくしても、内側側副靭帯のサポート力が向上した下肢部サポート用被服が提供でき好ましい。
（６）比較的緊締力の強い伸縮性部（Ａ）で表わされる部分が、人体の膝関節の内側側面の側副靭帯を実質的にカバーし、更に、膝蓋骨の人体内側側部側のほぼ周囲近辺に沿って少なくとも膝蓋骨の周囲のほぼ１／４以上を取り囲んでいて膝蓋骨の下側部分の少なくとも一部をカバーし、内側の腓腹筋の上部側方に至っており、膝関節上側においては、大腿部をその内側から前側を通り外側に向かってほぼ縫工筋に沿っている比較的緊締力の強い伸縮性部（Ａ３１）である前記（３）項または（４）項のいずれかに記載の下肢部サポート用被服。
上記本発明の好ましい態様とすることにより、比較的緊締力の強い伸縮性部が膝蓋骨の下側部分の少なくとも一部をカバーし膝蓋骨を下側から引き上げるようにサポートでき膝関節の安定性を向上するとともに、更に縫工筋をサポートし、大腿部を内側から外側に向かって斜めに被服上端に至るまで螺旋状に比較的緊締力の強い伸縮性部が存在するので、内側側副靭帯をサポートしている比較的緊締力の強い伸縮性部を引っ張るようなパワーが更に強められ、より内側側副靭帯のサポート力が向上した下肢部サポート用被服が提供でき好ましい。更に、内側側副靭帯の機能を補助している縫工筋をサポートでき好ましい。
（７）比較的緊締力の強い伸縮性部（Ａ３１）で表わされる部分が、更に内側の腓腹筋側方から内側ヒラメ筋側方を通り内踝上近傍に至っている比較的緊締力の強い伸縮性部（Ａ３１−１）を有している前記（６）項に記載の下肢部サポート用被服。
上記本発明の好ましい態様とすることにより、比較的緊締力の強い伸縮性部（Ａ３１）で表わされる部分が、更に（Ａ３１−１）を有しているので、腓腹筋、ヒラメ筋の機能を妨げずに側方から腓腹筋、ヒラメ筋をサポートし、下端が内踝上近傍に至っているので、比較的緊締力の強い伸縮性部が長くなり、内側側副靭帯をサポートしている比較的緊締力の強い伸縮性部を引っ張るようなパワーが更に一層強められ、より内側側副靭帯のサポート力が向上した下肢部サポート用被服が提供でき好ましい
（８）比較的緊締力の強い伸縮性部（Ａ３１）で表わされる部分が、更に、膝蓋骨の人体内側側部側のほぼ周囲近辺から膝蓋骨の上側部分の少なくとも一部をカバーしている比較的緊締力の強い伸縮性部である前記（６）項に記載の下肢部サポート用被服。
上記本発明の好ましい態様とすることにより、比較的緊締力の強い伸縮性部（Ａ３１）が、更に膝蓋骨の上側部分の少なくとも一部もカバーしているので膝蓋骨の下側部分と両方から膝関節のサポートができ、より膝関節の安定性を保つことができ好ましい。
（９）更に、被服上端からほぼ腸脛靭帯に沿って下降し膝蓋骨の外側側部側に至り、膝蓋骨の下側部分の少なくとも一部をカバーし、外側の腓腹筋の上部側方に至っている比較的緊締力の強い伸縮性部（Ｂ３）を有している前記（６）項に記載の下肢部サポート用被服。
上記本発明の好ましい態様とすることにより、比較的緊締力の強い伸縮性部（Ｂ３）を更に有しているので、膝を両側からサポートでき、膝関節のサポートがより強化される。
（１０）比較的緊締力の強い伸縮性部（Ａ）で表わされる部分が、人体の膝関節の内側側面の側副靭帯を実質的にカバーし、更に、膝蓋骨の人体内側側部側のほぼ周囲近辺に沿って少なくとも膝蓋骨の周囲のほぼ１／４以上を取り囲んでいて膝蓋骨の下側部分の少なくとも一部をカバーし、内側の腓腹筋の上部側方に至っており、膝関節上側においては、大腿部をほぼ半腱様筋、半膜様筋及び薄筋からなる筋群から選ばれた少なくとも１種の筋肉に沿って被服上端部に至っている比較的緊締力の強い伸縮性部（Ａ３２）である前記（２）項または（３）項のいずれかに記載の下肢部サポート用被服。
上記本発明の好ましい態様とすることにより、比較的緊締力の強い伸縮性部が膝蓋骨の下側部分の少なくとも一部をカバーし膝蓋骨を下側から引き上げるようにサポートでき膝関節の安定性を向上するとともに、更に大腿部の内側に存在する半腱様筋、半膜様筋及ないしは薄筋の少なくとも１種の筋肉をサポートし、内側側副靭帯をサポートしている比較的緊締力の強い伸縮性部を引っ張るようなパワーが強められ、より内側側副靭帯のサポート力が向上した下肢部サポート用被服が提供でき好ましい。更に、内側側副靭帯の機能を補助している半腱様筋、半膜様筋及ないしは薄筋の少なくとも１種の筋肉をサポートでき好ましい。
（１１）更に、被服上端部からほぼ腸脛靭帯に沿って下降し膝蓋骨の外側側部側に至り、膝蓋骨の下側部分の少なくとも一部、又は、膝蓋骨の上側部分及び下側部分の少なくとも一部をカバーし、外側の腓腹筋の上部側方に至っている比較的緊締力の強い伸縮性部（Ｂ３）を有している前記（６）項に記載の下肢部サポート用被服。
上記本発明の好ましい態様とすることにより、比較的緊締力の強い伸縮性部（Ｂ３）を更に有しているので、膝を両側からサポートでき、膝関節のサポートがより強化される。
（１２）膝関節の内側側面の側副靭帯上に存在する比較的緊締力の強い伸縮性部の少なくとも前記側副靭帯上の領域を、被服本体の縫製ラインが通っていない前記（１）項または（２）項のいずれかに記載の下肢部サポート用被服。
上記本発明の好ましい態様とすることにより、内側側副靭帯上に存在する比較的緊締力の強い伸縮性部の少なくとも前記内側側副靭帯上の領域を、被服本体の縫製ラインが通っていると、縫製ラインにより伸縮性が低下するので、内側側副靭帯をサポートするパワーが不十分になる。上記本発明の好ましい態様とすることにより、内側側副靭帯上に存在する比較的緊締力の強い伸縮性部の緊締力が十分に発揮され好ましい。
（１３）比較的緊締力の強い伸縮性部が、（ａ）編み組織の切り替え、または、（ｂ）編み組織の切り替えと使用される弾性糸の太さまたは弾性糸の使用本数密度の変化の組み合わせから選ばれたいずれかの手法により形成されている前記（１）項または（２）項のいずれかに記載の下肢部サポート用被服。
上記本発明の好ましい態様とすることにより、比較的緊締力の強い伸縮性部を被服本体に所定形状の伸縮性生地を重ね合わせてそれを縫合させることによって形成した場合に比べて、比較的緊締力の強い伸縮性部の厚みをより薄いものとすることができ、上述のような当て布を用いた場合に当て布の部分が厚くなり、縁部に段差が生じて、外観を低下させることがなく好ましい。
（１４）編み組織の切り替えが、（Ｉ）丸編みの編み組織の切り替え、または、（II）ジャカードラッシェル編みないしジャカードトリコット編みの地編み組織の切り替えである前記（１３）項に記載の下肢部サポート用被服。
上記編み組織の切り替えは、近年、これらの編み技術の改良により、容易に任意の形状の比較的緊締力の強い伸縮性部を形成でき、前述の如く比較的緊締力の強い伸縮性部の厚みを薄いものとすることができ、縁部に段差が生じて、外観を低下させることがなく好ましい。
（１５）筒状の下肢部サポート用被服が、端部始末不要な上下端部を有するパワーネットからなり、筒状の下肢部サポート用被服の上下端部が前記パワーネットの端部始末不要な上下端部となるようにした前記（１）項または（２）項のいずれかに記載の下肢部サポート用被服。
上記本発明の好ましい態様とすることにより、生地の縁からほつれが発生しないように、筒状の下肢部サポート用被服の上下の端部を折り返して縫製する、いわゆる「端始末」処理をする必要がなく、従って下肢部サポート用被服の上下の端部に段差が生じない。端部が厚くならないので、着用感が良好で、しかもパワーネットを用いているのでソフトに脚部に密着し、ゴムテープなどを上下の端部に取り付けなくても、ずり下がりやずり上がり防止機能も発揮でき好ましい。
【図面の簡単な説明】
図１は本発明のほぼ筒状の下肢部サポート用被服の一実施態様を示す背面図。
図２は図１の下肢部サポート用被服の正面図。
図３は図２の下肢部サポート用被服の矢印Ａ側から見た内側の側面図。
図４は図２の下肢部サポート用被服の矢印Ｂ側から見た外側の側面図。
図５は本発明のほぼ筒状の下肢部サポート用被服の更に別の一実施態様を示す背面図。
図６は図５の下肢部サポート用被服の正面図。
図７は図６の下肢部サポート用被服の矢印Ａ側から見た内側の側面図。
図８は図６の下肢部サポート用被服の矢印Ｂ側から見た外側の側面図。
図９は本発明のほぼ筒状の下肢部サポート用被服の更に別の一実施態様を示す背面図。
図１０は図９の下肢部サポート用被服の正面図。
図１１は図１０の下肢部サポート用被服の矢印Ａ側から見た内側の側面図。
図１２は図１０の下肢部サポート用被服の矢印Ｂ側から見た外側の側面図。
図１３は本発明のほぼ筒状の下肢部サポート用被服の更に別の一実施態様を示す背面図。
図１４は図１３の下肢部サポート用被服の正面図。
図１５は図１４の下肢部サポート用被服の矢印Ａ側から見た内側の側面図。
図１６は図１４の下肢部サポート用被服の矢印Ｂ側から見た外側の側面図。
図１７は本発明のほぼ筒状の下肢部サポート用被服の更に別の一実施態様を示す背面図。
図１８は図１７の下肢部サポート用被服の正面図。
図１９は図１８の下肢部サポート用被服の矢印Ａ側から見た内側の側面図。
図２０は図１８の下肢部サポート用被服の矢印Ｂ側から見た外側の側面図。
図２１は本発明のほぼ筒状の下肢部サポート用被服の更に別の一実施態様を示す背面図。
図２２は図２１の下肢部サポート用被服の正面図。
図２３は図２２の下肢部サポート用被服の矢印Ａ側から見た内側の側面図。
図２４は図２２の下肢部サポート用被服の矢印Ｂ側から見た外側の側面図。
図２５は図４の図面に、脚部を筒状に形成する被服本体の縫製ラインを記入した被服本体の縫製ラインの位置の一実施態様を説明するための図。
図２６は、丸編において、カットボス編手法を説明するための断面概念工程図。
図２７は、丸編において、カットボス編手法を説明するための断面概念工程図。
図２８はカットボス編手法によって得られた丸編生地の断面概念図。
図２９は、右半分が人体下肢部の前面側から見た骨格図、また、左半分が人体下肢部の前面側から見た筋肉図。
図３０は、左半分が人体下肢部の後面側から見た骨格図、また、右半分が人体下肢部の後面側から見た筋肉図。
図３１は人体の右側の下肢部の外側側面側から見た一部骨格付きの筋肉図。
図３２は人体の右側の下肢部の内側側面側から見た一部骨格付きの筋肉図。
図３３は膝関節を後ろ側から見た膝関節近傍の骨格と靱帯の部分背面図。
図３４は膝関節を人体内側から見た膝関節近傍の骨格と靱帯の部分側面図。
発明の詳細な開示
以下、図面を参照しながら、本発明の具体的実施の形態例について説明するが、本発明では、本発明の下肢部サポート用被服のどの部分に比較的緊締力の強い伸縮性部が配置されているか、比較的緊締力の強い伸縮性部が配置されている被服上における位置の説明に身体の一部や筋肉や骨格相当部分の名称を使用している部分もあるので、理解を容易にするために、先ず、本発明で緊締力の強い部分の位置等の説明に使用する骨格や筋肉の人体における位置を説明しておく。
図２９は図の右半分が人体下肢部の前面側から見た骨格図、また、左半分が人体下肢部の前面側から見た筋肉図である。図３０は図の左半分が人体下肢部の後面側から見た骨格図、また、右半分が人体下肢部の後面側から見た筋肉図である。また、図３１は人体の右側の下肢部の外側側面側から見た一部骨格付きの筋肉図、また、図３２は人体の右側の下肢部の内側側面側から見た一部骨格付きの筋肉図である。尚、図２９〜図３２において、本発明の説明に特に必要のない部分の筋肉や骨格は説明を省略している。
図２９〜図３２において、７０１が中殿筋、７０２が大殿筋、７０３が大転子、７０４が外側広筋、７０５が腸脛靭帯、７０６が大内転筋、７０７が半膜様筋、７０８が半腱様筋、７０９が大腿二頭筋、７１０が薄筋、７１１が縫工筋、７１２が内側広筋、７１３が大腿骨の外側顆、７１４が大腿骨の内側顆、７１５が膝蓋部（膝蓋骨）、７１６が前脛骨筋、７１７が脛骨、７１８がヒラメ筋（７１８ａが外側のヒラメ筋で７１８ｂが内側のヒラメ筋）、７１９が腓腹筋（７１９ａが外側の腓腹筋で７１９ｂが内側の腓腹筋）、７２０が長腓骨筋、７２１が外果（外踝）、７２２が内果（内踝）、７２３が大腿直筋、７２４が大腿骨、７２５が腓骨、７２６が腓骨頭、７２７が大腿骨頭、７２８が寛骨臼、７２９が仙骨である。なお、腰椎は、第１腰椎から第５腰椎があり、これらの腰椎については図示を省略しているが、仙骨７２９の上に存在している。また、腹直筋、外腹斜筋、内腹斜筋についても図示していないが、腹直筋は腹部中央に縦方向に胸の下の腹部上部から下腹部にかけて存在する筋肉であり、外腹斜筋は、腹直筋の左右の脇側に存在し、筋繊維方向が脇側方向に斜め上向きの筋肉であり、内腹斜筋はほぼ腹直筋と外腹斜筋の背面側に存在し、筋繊維方向は人体前中心から左右にそれぞれほぼ斜め下向き方向である。
次に内側側幅靱帯などを説明するために、膝関節近傍の骨格と靱帯の部分図として、図３３と図３４を示した。
図３３は、膝関節を後ろ側から見た背面図に相当し、矢印Ａ側が人体の内側であり、矢印Ｂ側が外側である。また、図３４は、膝関節を内側（矢印Ａ側）から見た側面図に相当し、矢印Ｄ側が人体の前側であり、矢印Ｅ側が後側である。図３４は、膝を折り曲げている状態である。８００が内側側幅靱帯、８０１が外側側幅靱帯、８０３が頚骨の内側顆、８０４が腓骨の外側顆、８０５が内側半月、８０６が外側半月、８０７が後十字靱帯、７０９´は大腿二頭筋の腱の部分の一部であり、上方の筋肉は図示していない。
これらの図からも明らかなように、内側側副靭帯は膝関節の内側側面において、大腿骨下端部近傍と頚骨上端部近傍をつなぐような形で膝関節の内側側面やや後ろ寄りに存在している。
なお、これらの骨格や筋肉の位置、形、大きさは個体それぞれに応じて若干相違するので、上記筋肉ならびに骨格図は代表例の一つとして示したものである。
また、各筋肉の筋繊維の方向は、図示の各筋肉中に示した細線の長さ方向であり、この筋繊維の方向が筋肉の収縮方向である。なお、これらの骨格や筋肉の位置、形、大きさは個体それぞれに応じて若干相違するので、上記筋肉ならびに骨格図は代表例の一つとして示したものである。
上述したように骨格や筋肉の位置、形、大きさは個体それぞれに応じて相違するし、人体全体の大きさも相違するので、比較的緊締力の強い伸縮性部と比較的緊締力の弱い部分とが配置されている被服上における位置が所定の指定された位置から多少のずれがあっても、本発明の目的が達成できる範囲においては差し支えない。
次に、本発明の理解を容易にするために、図面を参照しながら、本発明の下肢部サポート用被服の具体的実施の形態例について説明するが、本発明の下肢部サポート用被服は、図示したもののみに限定されるものではない。
また、以下の説明においては、本発明の下肢部サポート用被服において、当該被服の比較的緊締力の強い伸縮性部などの位置を示すのに、人体の筋肉や靭帯、腱、骨などの名称を用いて説明しているが、これは、比較的緊締力の強い伸縮性部などが、人体の当該筋肉や靭帯、腱、骨などの存在する部分上またはその近傍上を通っていることを示すために、前記筋肉や骨などの名称を用いて略述したものである。また、被服において、比較的緊締力の強い伸縮性部以外の部分は、縫合ラインの部分とか、特に伸縮性の小さい又は伸縮性のない生地を用いる小部分を除いて、主たる部分は比較的緊締力の強い伸縮性部に比べて、それより比較的緊締力の弱い伸縮性の生地からなっている。そして、上述した事項は、以下に示す他の実施態様についても同様である
また、本発明において、「比較的緊締力の強い伸縮性部が、人体の膝関節の内側側面の側副靭帯を実質的にカバーし」とは、内側側副靭帯の全部をカバーしていなくても、大部分をカバーしていればよいことを意味しており、具体的には、膝関節より上側の内側側副靭帯はほぼカバーされ、膝関節より下側は、膝蓋骨の下端に相当する位置まで内側側副靭帯が比較的緊締力の強い伸縮性部でカバーされていればよい。
更に、以下の本発明の被服の実施態様を示す各図面において、図１〜図４を代表例として取り上げて説明するならば、１は膝蓋骨の存在する位置を模式的に示したものであり、膝蓋骨の大きさがこの大きさであることを意味するものではない。そして、これはまた、膝関節の中心位置を示すためにも用いられている。なお、本発明の被服の実施態様の背面図においても、膝蓋骨の存在する位置にマークをつけておくことは、各図面の説明において、本発明の被服の理解を容易にするので、背面図においても膝蓋骨の存在する位置を鎖線の丸で示した。また、それぞれの矢印Ａ側から見た内側側面図や、矢印Ｂ側から見た外側側面図にも、膝蓋骨の存在する位置を半円で示した。
次に、本発明の脚部にフィットさせて着用するほぼ筒状の下肢部サポート用被服の実施の形態について、図面を参照しながら説明する。筒状の下肢部サポート用被服は、左足用と右足用と左右の被服がそれぞれ離れている。以下に示す実施の形態では、正面図、背面図について左足用と右足用と左右ベアーで左右面対称のものが示してある。しかし、本発明の筒状の下肢部サポート用被服においては、目的に応じて左右のいずれか片方づつ製造したり、販売したり、使用したりすることもできるのが、筒状の下肢部サポート用被服の特色であり、また、目的に応じて左右がそれぞれ異なる態様の筒状の下肢部サポート用被服を組み合わせて、製造したり、販売したり、使用したりすることもできる。
脚部にフィットさせて着用するほぼ筒状の下肢部サポート用被服としては、膝関節をカバーし、且つ少なくとも膝関節を上下に越える長さ、即ち、膝関節をすっぽり覆うだけの長さは必要である。そして比較的緊締力の強い伸縮性部が、人体の膝関節の内側側面の側副靭帯を実質的にカバーし、前記膝関節の内側側面の比較的緊締力の強い伸縮性部の緊締力が、膝関節の外側側面をカバーする部分の緊締力よりも強い緊締力を有していることが重要である。
脚部にフィットさせて着用するほぼ筒状の下肢部サポート用被服としては、膝関節をカバーし、且つ膝関節から上方の部分は大腿部の長さの１／２またはそれ以上の長さを有しており、膝関節から下方の部分は膝関節から踝までの下腿部の長さの１／２またはそれ以上の長さを有している被服であることが好ましく、特に膝関節をカバーし、且つ膝関節から上方の部分は膝関節から股下までの大腿部の長さの３／４、より好ましくは１／２程度の長さを有しており、膝関節から下方の部分は膝関節から踝までの長さを有している被服が、よりサポート力が大きく、また、大腿部の上方部分をあまり圧迫しないので一層好ましい。
なお、このほぼ筒状の下肢部サポート用被服の長さについて「大腿部の長さの１／２またはそれ以上の長さ」とか「下腿部の長さの１／２またはそれ以上の長さ」の基準となる「大腿部の長さ」とは、膝関節の中央部から股下までの大腿部の長さを意味し、「下腿部の長さ」とは、膝関節の中央部から踝の上端までの下腿部の長さを意味するものである。
図１〜４は、本発明のほぼ筒状の下肢部サポート用被服の一実施態様を示す図であり、図１はその背面図、図２はその正面図、図３は図２の矢印Ａ側から見た内側の側面図、図４は図２の矢印Ｂ側から見た外側の側面図である。
この態様の被服は、下肢部のうち、股下から大腿部の長さの約１／４程度下方のところでそれより上側部分が除去された設計の筒状の下肢部サポート用被服に相当するものである。
すなわち、比較的緊締力の強い伸縮性部（Ａ）２で表わされる部分が、人体の膝関節の内側側面の側副靭帯３を実質的にカバーし、更に、膝蓋骨１の人体内側側部側のほぼ周囲近辺に沿って膝蓋骨の周囲のほぼ１／４以上（ここでは約１．７／４）を取り囲んでいて膝蓋骨１の下側部分の一部４をカバーし、内側の腓腹筋の上部側方を経由し内側の腓腹筋及びヒラメ筋の側方５に至っており、膝関節上側においては、大腿部をその内側から前側を通り外面に向かってほぼ縫工筋６に沿い更に大腿直筋のうちの上方半分より上の部分７を通っている比較的緊締力の強い伸縮性部（Ａ３１）１２１ｃからなるほぼ筒状の下肢部サポート用被服である。尚、膝関節上側において、比較的緊締力の強い伸縮性部（Ａ）２で表わされる部分は、上述した様に大腿部をその内側から前側を通り外面に向かってほぼ縫工筋６に沿い更に大腿直筋のうちの上方半分より上の部分７を通っている事が好ましいが、ほぼ筒状の下肢部サポート用被服の膝関節上側の長さがやや短い態様とした場合には大腿直筋のうちの上方半分より下の部分を通る様にしてもよい。
上記本発明の好ましい態様とすることにより、比較的緊締力の強い伸縮性部が膝蓋骨１の下側部分の一部４をカバーし膝蓋骨１を下側から引き上げるようにサポートでき膝関節の安定性を向上するとともに、更に縫工筋６をサポートし、大腿部を内側から外側に向かって斜めに被服上端に至るまで螺旋状に比較的緊締力の強い伸縮性部１２１ｃが存在するので、内側側副靭帯３をサポートしている比較的緊締力の強い伸縮性部２を引っ張るようなパワーが更に強められ、より内側側副靭帯３のサポート力が向上した筒状の下肢部サポート用被服が提供でき好ましい。更に、内側側副靭帯３の機能を補助している縫工筋をサポートでき好ましい。
次に、図５〜８は、本発明のほぼ筒状の下肢部サポート用被服の別の一実施態様を示す図であり、図５はその背面図、図６はその正面図、図７は図６の矢印Ａ側から見た内側の側面図、図８は図６の矢印Ｂ側から見た外側の側面図である。
この態様の被服は、下肢部のうち、股下から大腿部の長さの約１／４程度下方のところでそれより上側部分が除去された設計の筒状の下肢部サポート用被服に相当するものである。
すなわち、比較的緊締力の強い伸縮性部（Ａ）で表わされる部分が、人体の膝関節の内側側面の側副靭帯３を実質的にカバーし、更に、膝蓋骨１の人体内側側部側のほぼ周囲近辺に沿って少なくとも膝蓋骨の周囲のほぼ１／４以上（ここでは約１．７／４）を取り囲んでいて膝蓋骨の上側部分の一部１１と下側部分の一部４をカバーし、内側の腓腹筋及びヒラメ筋の側方５に至っており、膝関節上側においては、大腿部をその内側から前側を通り外面に向かってほぼ縫工筋６に沿い更に大腿直筋のうちの上方部分７にまで伸びている比較的緊締力の強い伸縮性部（Ａ１３）１２１ｃを有しているとともに、比較的緊締力の強い伸縮性部１２１ｃの膝関節上側において、分岐点３１から大腿部をほぼ半腱様筋２１に沿って被服上端に至っている比較的緊締力の強い伸縮性部（Ａ３２´）１４０ｃを更に有している。
上記本発明の好ましい態様とすることにより、大腿部を内側から外側に向かって斜めに被服外側上端に至る螺旋状に比較的緊締力の強い伸縮性部（Ａ１３）１２１ｃが存在するとともに、膝関節上側において、二俣に分かれて、大腿部をほぼ半腱様筋２１沿って被服の内側上端部に至っている比較的緊締力の強い伸縮性部（Ａ３２´）１４０ｃを更に有するので、内側側副靭帯３をサポートしている比較的緊締力の強い伸縮性部を引っ張るようなパワーがこの両者の作用により更に一層強められ、より内側側副靭帯３のサポート力が向上した筒状の下肢部サポート用被服が提供でき好ましい。更に、内側側副靭帯３の機能を補助している縫工筋６とともに半腱様筋２１の筋肉もサポートでき好ましい。
次に、図９〜１２は、本発明のほぼ筒状の下肢部サポート用被服の更に別の一実施態様を示す図であり、図９はその背面図、図１０はその正面図、図１１は図１０の矢印Ａ側から見た内側の側面図、図１２は図１０の矢印Ｂ側から見た外側の側面図である。
この態様の被服は、下肢部のうち、股下から大腿部の長さの約１／４程度下方のところでそれより上側部分が除去された設計の筒状の下肢部サポート用被服に相当するものである。
すなわち、比較的緊締力の強い伸縮性部（Ａ）で表わされる部分２が、人体の膝関節の内側側面の側副靭帯３を実質的にカバーし、更に、膝蓋骨１の人体内側側部側のほぼ周囲近辺に沿って少なくとも膝蓋骨の周囲のほぼ１／４以上（ここでは約１．７／４）を取り囲んでいて膝蓋骨の下側部分の一部４と膝蓋骨１の上側部分１１の一部をカバーし内側の腓腹筋及びヒラメ筋の側方５から更に内側の腓腹筋及びヒラメ筋の下方の側方４１を通り下方の内踝上方４２に至っており、膝関節上側においては、大腿部をその内側から前側を通り外面に向かってほぼ縫工筋６に沿い更に大腿直筋のうちの上方部分７を通り、被服外側の上端にまで伸びている比較的緊締力の強い伸縮性部１５６ｃを有する。比較的緊締力の強い伸縮性部１５６ｃは、分岐点４４から、更に脚部外側を下降して外踝１６に至る部分をカバーしている。すなわち、比較的緊締力の強い伸縮性部１５６ｃは、分岐点４４から、更に、ほぼ腸脛靭帯９に沿って膝蓋骨１の外側側部側に至り、膝蓋骨１の人体外側側部側のほぼ周囲近辺に沿って少なくとも膝蓋骨の周囲のほぼ１／２強を取り囲んでいて膝蓋骨１の下側部分３２と上側部分３３の一部をカバーし、外側の腓腹筋及びヒラメ筋の側方４３を通り下方の外踝上方１６に至っている。
上記本発明の好ましい態様とすることにより、比較的緊締力の強い伸縮性部１５６ｃが膝蓋骨１の上側部分の一部１１と３３及び下側部分の一部４と３２をカバーし膝蓋骨１を両側から包み込むようにサポートでき膝関節の安定性を向上するとともに、更に縫工筋６をサポートし、大腿部を内側から外側に向かって斜めに被服外側の上端部に至るまで螺旋状に比較的緊締力の強い伸縮性部１５６ｃが存在するので、内側側副靭帯３をサポートしている比較的緊締力の強い伸縮性部を引っ張るようなパワーが更に一層強められ、より内側側副靭帯３のサポート力が向上した下肢部サポート用被服が提供でき好ましい。更に比較的緊締力の強い伸縮性部１５６ｃが、腓腹筋及びヒラメ筋の内側と外側の側方を通っているので、腓腹筋及びヒラメ筋の活動を阻害せずにこれらの筋肉をサポート出来好ましい。
次に、図１３〜１６は、本発明のほぼ筒状の下肢部サポート用被服の更に別の一実施態様を示す図であり、図１３はその背面図、図１４はその正面図、図１５は図１４の矢印Ａ側から見た内側の側面図、図１６は図１４の矢印Ｂ側から見た外側の側面図である。
この態様の被服は、下肢部のうち、股下から大腿部の長さの約１／５程度下方のところでそれより上側部分が除去され、また、膝関節の中央部から下腿部の長さの約２．３／４程度下方のところでそれより下側部分が除去された設計の筒状の下肢部サポート用被服に相当するものである。
すなわち、比較的緊締力の強い伸縮性部（Ａ）で表わされる部分が、人体の膝関節の内側側面の側副靭帯３を実質的にカバーし、更に、膝蓋骨１の人体内側側部側のほぼ周囲近辺に沿って膝蓋骨の周囲のほぼ１／４を取り囲んでいて膝蓋骨１の下側部分４の一部をカバーし、内側の腓腹筋及びヒラメ筋の側方５に至っており、膝関節上側においては、大腿部をほぼ半腱様筋２１に沿って被服内側上端に至っている比較的緊締力の強い伸縮性部（Ａ３２）１３０ｃからなる比較的緊締力の強い伸縮性部を有している下肢部サポート用被服である。
上記本発明の好ましい態様とすることにより、比較的緊締力の強い伸縮性部１３０ｃが膝蓋骨１の下側部分４の一部をカバーし膝蓋骨１を下側から引き上げるようにサポートでき膝関節の安定性を向上するとともに、更に大腿部の内側に存在する半腱様筋２１をサポートし、内側側副靭帯３をサポートしている比較的緊締力の強い伸縮性部を引っ張るようなパワーが強められ、より内側側副靭帯３のサポート力が向上した下肢部サポート用被服が提供でき好ましい。更に、内側側副靭帯の機能を補助している半腱様筋をサポートでき好ましい。
次に、図１７〜２０は、本発明のほぼ筒状の下肢部サポート用被服の別の一実施態様を示す図であり、図１７はその背面図、図１８はその正面図、図１９は図１８の矢印Ａ側から見た内側の側面図、図２０は図１８の矢印Ｂ側から見た外側の側面図である。
この態様の被服は、下肢部のうち、股下から大腿部の長さの約１／２程度下方のところでそれより上側部分が除去され、また、膝関節の中央部から下腿部の長さの約２．５／４程度下方のところでそれより下側部分が除去された設計の筒状の下肢部サポート用被服に相当するものである。
すなわち、比較的緊締力の強い伸縮性部（Ａ）で表わされる部分が、人体の膝関節の内側側面の側副靭帯３を実質的にカバーし、更に、膝蓋骨１の人体内側側部側のほぼ周囲近辺に沿って少なくとも膝蓋骨の周囲のほぼ１／４以上（ここでは約１．７／４）を取り囲んでいて膝蓋骨１の下側部分の一部４をカバーし、内側の腓腹筋及びヒラメ筋の側方５に至っており、膝関節上側においては、大腿部をその内側から前側を通り外面に向かってほぼ縫工筋６に沿い被服上端にまで伸びている比較的緊締力の強い伸縮性部１２１ｃ´を有しているとともに、比較的緊締力の強い伸縮性部１２１ｃ´の膝関節上側において、分岐点３１から大腿部をほぼ半腱様筋２１に沿って被服上端に至っている比較的緊締力の強い伸縮性部（Ａ３２´）１４０ｃを更に有している。
上記本発明の好ましい態様とすることにより、大腿部を内側から上側に向かって斜めに被服上端に至る比較的緊締力の強い伸縮性部（Ａ３１）１２１ｃ´が存在するとともに、膝関節上側において、二俣に分かれて、大腿部をほぼ半腱様筋２１沿って被服の内側上端部に至っている比較的緊締力の強い伸縮性部（Ａ３２´）１４０ｃを更に有するので、内側側副靭帯３をサポートしている比較的緊締力の強い伸縮性部を引っ張るようなパワーがこの両者の作用により強められ、より内側側副靭帯３のサポート力が向上した筒状の下肢部サポート用被服が提供でき好ましい。更に、内側側副靭帯３の機能を補助している縫工筋６とともに半腱様筋２１の筋肉もサポートでき好ましい。
次に図２１〜図２４は、本発明のほぼ筒状の下肢部サポート用被服の更に別の一実施態様を示す図であり、図２１はその背面図、図２２はその正面図、図２３は図２２の矢印Ａ側から見た内側の側面図、図２４は図２２の矢印Ｂ側から見た外側の側面図である。
この態様の被服は、下肢部のうち、股下から大腿部の長さの約１／４程度下方のところでそれより上側部分が除去された設計の筒状の下肢部サポート用被服に相当するものである。
すなわち、比較的緊締力の強い伸縮性部（Ａ）２で表わされる部分が、人体の膝関節の内側側面の側副靭帯３を実質的にカバーし、更に、膝蓋骨１の人体内側側部側のほぼ周囲近辺に沿って膝蓋骨の周囲のほぼ１／４以上（ここでは約１．７／４）を取り囲んでいて膝蓋骨１の下側部分の一部４をカバーし、内側の腓腹筋の上部側方を経由し内側の腓腹筋及びヒラメ筋の側方５から前側を斜め外側下方に横切り、外踝１６に至っており、膝関節上側においては、大腿部をその内側から前側を通り外面に向かってほぼ縫工筋６に沿い更に大腿直筋のうちの上方半分より上の部分７を通っている比較的緊締力の強い伸縮性部（Ａ３２）１２１ｃ″からなるほぼ筒状の下肢部サポート用被服である。尚、比較的緊締力の強い伸縮性部（Ａ）２で表わされる部分は、その下方部分は前側を斜め外側下方に横切った後、外踝１６よりも更に後側に回ってアキレス腱近傍に至っていても良い。また、膝関節上側においては、比較的緊締力の強い伸縮性部（Ａ）２で表わされる部分は、上述した様に大腿部をその内側から前側を通り外面に向かってほぼ縫工筋６に沿い更に大腿直筋のうちの上方半分より上の部分７を通っている事が好ましいが、ほぼ筒状の下肢部サポート用被服の膝関節上側の長さがやや短い態様とした場合には大腿直筋のうちの上方半分より下の部分を通る様にしてもよい。
上記本発明の好ましい態様とすることにより、比較的緊締力の強い伸縮性部が膝蓋骨１の下側部分の一部４をカバーし膝蓋骨１を下側から引き上げるようにサポートでき膝関節の安定性を向上するとともに、更に縫工筋６をサポートし、大腿部を内側から外側に向かって斜めに被服上端に至るまでと、膝関節の内側側面の側副靭帯から前側を通り外側下方の外踝に至るまで、それぞれ螺旋状に比較的緊締力の強い伸縮性部１２１ｃ″が存在するので、内側側副靭帯３をサポートしている比較的緊締力の強い伸縮性部２を引っ張るようなパワーが更に強められ、より内側側副靭帯３のサポート力が向上した筒状の下肢部サポート用被服が提供でき好ましい。更に、内側側副靭帯３の機能を補助している縫工筋をサポートでき好ましい。
以上、筒状の下肢部サポート用被服について、いくつかの実施態様を図面を用いて説明したが、これに限定されるものではない。
また、本発明の筒状の下肢部サポート用被服においては、上記で種々説明したような、特定の筋肉のサポートのための比較的緊締力の強い伸縮性部のほかに、必要に応じて、本発明の筒状の下肢部サポート用被服の着用中のずり上がりやずり下がりなどを生じないよう、被服を脚部に固定するために、筒状の下肢部サポート用被服の上端や下端部分に輪状に比較的緊締力の強い伸縮性部を更に設けてもよい。このような筒状の下肢部サポート用被服の上端や下端部分に輪状に設けられる比較的緊締力の強い伸縮性部としては、特に限定するものではないが、例えば比較的緊締力の強い伸縮性の生地を重ね合わせて縫合したり、ゴムテープなどの伸縮性テープを取り付けてもよい。また、例えば靴下などの上部開口部にしばしば適用されているように、丸編みで被服を作成した場合には、この部分をリブ編み（ゴム編み）とするなど、適宜の手段が採用できる。
尚、本発明の筒状の下肢部サポート用被服を端部始末不要なパワーネットを用いて作成することもできる。このような場合、端部始末不要なパワーネットとして、端部始末不要な上下端部を有するパワーネットを用い、筒状の下肢部サポート用被服の上下端部が前記パワーネットの端部始末不要な上下端部となるようにすることが好ましいが、上下端部のいずれか一方のみに端部始末不要な端部を有するパワーネットを使用することもできる。尚、端部始末不要な上下端部を有するパワーネットを用い、上記の如き筒状の下肢部サポート用被服とする場合には、筒の周長は上から下まで同じになる。
上記のごとく、端部始末不要な端部を有するパワーネットを使用することにより、生地の縁からほつれが発生しないように、筒状の下肢部サポート用被服の上または下側の端部を折り返して縫製する、いわゆる「端始末」処理をする必要がなく、従って下肢部サポート用被服の上または下側の端部に段差が生じない。端部が厚くならないので、着用感が良好で、しかもパワーネットを用いているのでソフトに脚部に密着し、ゴムテープなどを上または下の端部に取り付けなくても、ずり下がりやずり上がり防止機能も発揮でき好ましい。この様に端部始末不要な端部を有するパワーネットを使用した場合に、パワーネットの上下端部近傍には、弾性糸を他の部分に較べて多く挿入するか、太さの太い弾性糸を用いることにより、所定幅、例えば１〜３ｃｍ程度の幅の帯状に緊締力の強い部分を設けると、下肢部サポート用被服のずり下がりやずり上がり防止機能が、更に効果的に発揮でき好ましい。
尚、本発明の筒状タイプの下肢部サポート用被服においては、膝関節の内側側面の側副靭帯上に存在する比較的緊締力の強い伸縮性部の少なくとも前記側副靭帯上の領域を、被服本体の縫製ラインが通っていないことが好ましい。
すなわち、本発明の筒状タイプの下肢部サポート用被服においては、脚部を覆う部分を筒状に形成する必要があるが、脚部を筒状に形成するには、例えば平面状の生地を筒状に丸めて生地の一方の縁と他方の縁同士を縫合するなどの手法が用いられる場合がある。このように縫合によって生地を筒状にする場合、従来法は、通常、この縫合ラインは脚部内側を通るように縫製されているのが一般的である。
本発明においては、このような縫製ラインが、膝関節の内側側面の側副靭帯上に存在する比較的緊締力の強い伸縮性部の少なくとも前記側副靭帯上の領域を通らないように設計することが好ましい。理解を容易にするために図面を引用して上部脚部を筒状に形成する被服本体の縫製ラインについて具体例を挙げて説明する。
図２５は、図４の図面に、脚部を筒状に形成する被服本体の縫製ラインを記入したものである。すなわち、図２５は、脚部を筒状に形成する被服本体の縫製ライン５０が脚部の外側を通っている場合の一態様を示したものである。脚部を筒状に形成する被服本体の縫製ライン５０は、例えば膝関節の内側側面の側副靭帯３上に存在する比較的緊締力の強い伸縮性部の少なくとも前記側副靭帯上の領域を避けて比較的緊締力の強い伸縮性部の一部の縁上を通る様に設計されることは差し支えない。このように「膝関節の内側側面の側副靭帯上に存在する比較的緊締力の強い伸縮性部の少なくとも前記側副靭帯上の領域を通らないように」とは、比較的緊締力の強い伸縮性部の前記側副靭帯上の領域の縁上を通る場合は許容される意味で用いている。もちろん、前記縫製ラインが前記側副靭帯上の領域の縁上を全く通らずに、比較的緊締力の強い伸縮性部の前記側副靭帯上の領域から少し離れた位置を通る設計にしてよいことは当然である。
図２５に示したように、脚部を筒状に形成する被服本体の縫製ラインが、脚部の外側を通っている場合は、膝関節の内側側面の側副靭帯上に存在する比較的緊締力の強い伸縮性部の少なくとも前記側副靭帯上の領域を通るということはないので、原則的にはかかる縫製ラインは、脚部の外側であればどの位置を通っていてもかまわない。しかし、脚部の外側にも、何らかの比較的緊締力の強い伸縮性部が存在する場合には、可能であれば、比較的緊締力の強い伸縮性部の領域を避けて、その縁上に沿って縫製ラインを設けるとか、比較的緊締力の強い伸縮性部の領域から、少し離れた位置に縫製ラインが通る様な設計にすることが好ましい。比較的緊締力の強い伸縮性部の後ろ側の縁に沿って縫製すると、縫製ラインが比較的緊締力の強い伸縮性部の縁に沿っているので、かかる縫製ラインのみが別個に被服に現れることがなく被服の外観に響きにくいので、デザイン性を損なうことがないと言う利点を有する。特に、比較的緊締力の強い伸縮性部が当て布によって構成される場合には、この縫製箇所は、当て布と被服本体布との縫製箇所にもなるので、デザイン性を損なうことがなく、かかる共通の縫製箇所とすることにより、少ない縫製箇所で本発明の下肢部サポート被服を作ることができ好ましい。
以上、少数の具体例を挙げて、脚部を筒状に縫製する場合の被服本体の縫製ラインについて説明したが、本発明においては、上記図示した具体例に限定されるものではない。
上述したように、截関節の内側側面の側副靭帯上に存在する比較的緊締力の強い伸縮性部の少なくとも前記側副靭帯上の領域を、被服本体の縫製ラインが通っていない本発明の好ましい態様とすることにより、内側側副靭帯上に存在する比較的緊締力の強い伸縮性部の少なくとも前記内側側副靭帯上の領域を、被服本体の縫製ラインが通っていると、縫製ラインにより伸縮性が低下することにより、内側側副靭帯をサポートするパワーが不十分になることを防止出来る。従って上記本発明の好ましい態様とすることにより、内側側副靭帯上に存在する比較的緊締力の強い伸縮性部の緊締力が十分に発揮され好ましい。
本発明の被服において、比較的緊締力の強い伸縮性部の形成方法としては、被服本体の所定形状の伸縮性生地を重ね合わせてそれを縫合させることによって形成してもよいし、被服本体に所定形状の伸縮性生地を重ね合わせてそれを接着することによって形成してもよい。特に前者の方法によれば、容易に耐久性のある被服を製造することができる。もちろん、比較的緊締力の強い伸縮性部とそれ以外の部分をそれぞれ所定形状のパーツにして、それらを接ぎ合わせて本発明の下肢部サポート用被服を形成してもよいが、縫製が複雑になり、やや手間がかかる。
また、そのほか例えば、被服本体に所定形状の伸縮性生地を引き伸ばして重ね合わせて縫合または接着する方法によって比較的緊締力の強い伸縮性部を形成してもよい。これらの方法によれば、比較的緊締力の強い伸縮性部により強力な緊締力を付与する場合に好適である。
また、被服本体の所定部分に弾力性を有する合成樹脂またはゴムの溶液またはエマルジョンを含浸またはコーティングしその後乾燥させる方法、弾力性を有する合成樹脂またはゴムのフイルムを積層する方法によって比較的緊締力の強い伸縮性部を形成してもよい。これらの方法によれば、比較的緊締力の強い伸縮性部の厚みを比較的薄くすることも可能である。弾力性を有する合成樹脂としてはポリウレタン樹脂やポリエステルエラストマー樹脂その他の適宜の弾性樹脂が適用できる。
また、被服本体を構成する伸縮性生地の編み組織をより緊締力の強い編み組織にする方法によって比較的緊締力の強い伸縮性部を形成してもよい。これらの方法によれば、重ね合わせをしなくてもすむので、比較的緊締力の強い伸縮性部の厚みをより薄いものとすることができる。尚、上述したような編み組織の切り替えによって比較的緊締力の強い伸縮性部を形成する方法の定義には、被服本体を構成する繊維素材のうち、弾性繊維の太さが他の部分より太い弾性繊維を使用する方法や弾性繊維の使用密度を他の部分より大きくすることによって比較的緊締力の強い伸縮性部を形成する方法も含まれる。この方法によっても、重ね合わせをしなくてもすむので、比較的緊締力の強い伸縮性部の厚みをより薄くすることができる。比較的緊締力の強い伸縮性部を上述のように、編み組織の切り替えにより実施する場合には、編み組織の切り替えとしては、（Ｉ）丸編みの編み組織の切り替え、または、（II）ジャカードラッシェル編みないしジャカードトリコット編みの地編み組織の切り替え等が好ましい。もちろん、上述のような編み組織の切り替えと共に使用される弾性糸の太さまたは弾性糸の使用本数密度の変化を組み合わせてもよい。
上記編み組織の切り替えは、近年、これらの編み技術の改良により、容易に任意の形状の比較的緊締力の強い伸縮性部を形成でき、前述の如く比較的緊締力の強い伸縮性部の厚みを薄いものとすることができ、縁部に段差が生じて、外観を低下させることがなく好ましい。
また、被服を形成する生地として丸編地などを用いる場合には、カットボス編手法によって、比較的緊締力の強い伸縮性部を形成することもできる。
上記した強緊締力部の形成方法の中でも、被服本体に所定形状の伸縮性生地を重ね合わせてそれを縫合することによって形成する方法と、被服本体に所定形状の伸縮性生地を引き伸ばして重ね合わせて縫合する方法とが容易である。尚、これらの方法によれば、被服本体に縫合される伸縮性生地の緊締力は被服本体の伸縮性生地の緊締力よりもやや小さくても、同じでも、大きくてもよい。被服本体に伸縮性生地が重ね合わせられた結果、重ね合わされた部分の緊締力が増大するからである。どのくらいの緊締力の生地を重ね合わせたらよいかは、被服の種類や使用目的、着用者の好みなどによって適宜選定すればよい。
なお、前述したカットボス編手法によって、比較的緊締力の強い伸縮性部を形成する手法について、以下、理解を容易にするために、参考までに図２６〜図２８を用いて説明しておく。
図２６〜図２７は、丸編において、カットボス編手法を説明するための断面概念工程図である。点線の矢印Ａで示した側が丸編地の表側で、点線の矢印Ｂで示した側が丸編生地の裏側である。
まず、図２６に示すように、表糸６１と裏糸６２を供給して丸編機で編む際に、カットボス手法によって比較的緊締力を強くしたい部分に中糸６３を表糸６１と裏糸６２の間に挿入して、表糸６１と中糸６３と裏糸６２をそろえて供給して丸編機で編み込む。この部分は矢印６４ａ〜６４ｂの間と矢印６４ｃ〜６４ｄの間の部分である（尚、中糸６３は、わかりやすいように１点鎖線で図示してある。）。そして、矢印６４ｂ〜６４ｃの間の部分の如く、比較的緊締力が弱い部分に該当する部分は、中糸６３が表糸６１と裏糸６２の間に挿入されないように中糸６３を裏側に浮かせて、表糸６１と裏糸６２のみで編む。次いで矢印６４ａ、６４ｂ、６４ｃ、６４ｄのところで裏側に浮かされた中糸６３をカットし、図２６に示したようなＺ1とＺ3の部分が中糸６３が挿入されていて、比較的緊締力の強い伸縮性部となり、Ｚ2の部分が表糸１と裏糸２のみで編まれた比較的緊締力の弱い伸縮性部となる。
図２８に、上述のカットボス編手法によって得られた丸編生地の断面概念図を示した。６１ａが表糸６１があらわれている丸編生地の表側、６２ａが裏糸６２があらわれている丸編生地の裏側、６３ａが中糸６３で構成された補強層であり、Ｚ1とＺ3の部分が、比較的緊締力の強い伸縮性部となり、Ｚ2の部分が比較的緊締力の弱い部分となる。
本発明においては、前記の如く比較的緊締力の強い伸縮性部と比較的緊締力の弱い伸縮性部をカットボス編手法のみで形成してもよいが、更に、丸編地における同一コース内での度目調整によって、緊締力の変化を付与する手法を併用してもよい。
比較的緊締力の強い伸縮性部の緊締力としては、特に限定するものではないが、ほぼその長さ方向で０．３Ｎ〜４Ｎの緊締力を有する様に設計することが好ましい。このような緊締力の範囲において、本発明の機能が効果的に発揮され、また、圧迫感が余りに強過ぎることもなく着用感が良好で好ましい。尚、比較的緊締力の弱い伸縮性部の緊締力が０．３Ｎを超えることがあっても、当該被服中に設けられている比較的緊締力の強い伸縮性部よりも、その緊締力が小さければ差し支えない。
尚、本発明のほぼ筒状の下肢部サポート用被服においては、膝関節の内側側面の側副靭帯を実質的にカバーしている比較的緊締力の強い伸縮性部の緊締力が、膝関節の外側側面をカバーする部分の緊締力よりも強い緊締力を有している事が、膝を保護し、膝関節を安定に保ち、膝の不安定さから生じる膝痛などの予防や、軽減、さらには、スポーツその他で生じる内側側副靭帯損傷の予防において、必要であり、重要な点である。前述した全ての実施態様はこの様に設計されているものである。
比較的緊締力の強い伸縮性部や比較的緊締力の弱い伸縮性部などの生地の緊締力を測定する場合には、次の引張り試験を行って測定する。
素材経方向（ウェール方向）が試験片の長さ方向になるように幅２．５ｃｍ×長さ１６．０ｃｍの試験片を作成し、その長さ方向を上下方向に向けてその両端をクリップでつかむ。上部つかみ長さを２．５ｃｍ、下部つかみ長さを３．５ｃｍとし、従ってつかみ間隔は１０．０ｃｍとして定速伸長形引張試験機（島津製作所製“オートグラフ”ＡＧ−５００Ｄ）に取り付け、３０±２ｃｍ／分の速度で試験片を伸度８０％まで伸ばす。この際、伸度３０％時点で試験片に掛かっている応力を記録しこれを伸長力（単位Ｎ）、[１ｇｆ≒０．００９８Ｎ]とし、次に伸度８０％まで伸ばした試験片に掛かる応力を取り去ると、試験片が元の長さに戻ろうとして収縮するが、伸度３０％まで回復した時の試験片に掛かる応力を緊締力（単位Ｎ）とする。これらの値は、上記引張試験機により自動的に記録される様に設定しておく。尚、伸長力、緊締力とも、これらのデータは試験片２つの平均値を求めてそれぞれ伸長力、緊締力とした。
ここで、伸度（％）とは、伸ばした状態で伸び方向の生地の長さをｄ、伸ばす前の試料の元の長さ（すなわちつかみ間隔）をｅとすると、
[(ｄ−ｅ)／ｅ]×１００の値である。
尚、伸長力や緊締力の測定の際に試験片の大きさとしては、前述のような大きさのものを用いることが好ましいが、かかる大きさの試料が測定対象の衣類から切り出せない場合にはそれより小さくても差し支えない。ただ、試料の大きさが小さくなるほど、測定誤差が大きくなるので、切り出せる範囲でできるだけ大きな試料を採取して測定することが好ましい。
本発明の被服における比較的緊締力の強い伸縮性部の幅は、その存在部位、用いる素材の緊締力の強さ、比較的緊締力の強い伸縮性部の形成手段、被服の使用目的（例えば着用者の膝関節の障害の程度や障害部位、または障害予防の目的、行うスポーツの種類など）、大人か子供かなどによって適宜本発明の目的が達成される範囲で適当な幅にすれば良く、また、部位によって当然幅が異なってくるので、一概に数値で規定することは困難であるが、線状のように幅の狭いものでは意味がなく、例えば、平均で２ｃｍ以上の幅であることが好ましく、平均で３ｃｍ以上の幅であることがより好ましい。最も幅の広い部分は通常１５ｃｍ程度以下、より好ましくは１３ｃｍ程度以下が好ましい。
もちろん本発明の目的が達成される範囲に於いて、比較的緊締力の強い伸縮性部の幅は、部位に応じて部分的に狭幅になったり、広幅になったりすることがあるのは何ら差し支えない。
本発明において、種々説明した筋肉をサポートするための比較的緊締力の強い伸縮性部は、特殊な細部を除いて主として筋肉や靱帯の繊維方向にほぼ沿った方向に向かって設けられており、このような態様とすることによって、筋肉や靱帯の機能を阻害せずに筋肉の収縮や靱帯の機能を助長することができ、好ましい。
また、本発明の被服は、伸縮性生地として、被服本体部分や各比較的緊締力の強い伸縮性部において、伸縮性を有するポリウレタン繊維含有ラッセル編物であるポリウレタン繊維含有パワーネットや、ポリウレタン繊維含有トリコット編物であるポリウレタン繊維含有ツーウェイトリコット編物、ポリウレタン繊維含有丸編物などを好ましく用いることができるので、従来の比較的厚地のパイル地やネオプレンシートなどを用いるサポーターなどに比べて、通常の衣料を作成する際に用いられている程度の厚み、例えば約０．３〜０．８ｍｍの厚みの生地が使用でき、したがって着用時のプロポーションなどの外観が低下が少なく、身体によくフィットし、通気性も比較的良好な被服を提供できる。パワーネットの種類としては、例えば、プレーンパワーネット、サテンパワーネット、ツーウェイラッセル、“トリスキン”（卜部株式会社の商標）などが挙げられる。
また、各比較的緊締力の強い伸縮性部の緊締力はすべて同一である必要はなく、部位に応じて異なった緊締力としてもよい。特に、本発明のほぼ筒状の下肢部サポート用被服においては、前述した様に、膝関節の内側側面の側副靭帯を実質的にカバーしている比較的緊締力の強い伸縮性部の緊締力が、膝関節の外側側面をカバーする部分の緊締力よりも強い緊締力を有している事が必要である。
被服の生地を構成する繊維糸の種類も、特に限定するものではなく、ポリエステル、ナイロンなどで代表される各種の合成繊維糸、木綿、ウール、絹などで代表される天然繊維糸、レーヨンなどで代表される半合成繊維糸、ポリウレタン繊維糸などで代表される弾性繊維糸、あるいは、これらの少なくとも２種類の繊維が混在した混合繊維からなる糸、カバリングヤーン、吸水速乾性糸、その他の加工糸など各種の繊維糸を用いることができる。
尚、弾性糸を使用する場合には、弾性繊維のみから作られた糸を用いてもよいが、目的に応じて、前述したような吸水速乾性糸、発水性に優れた合成繊維糸あるいは天然繊維糸などの他の繊維でカバリングされた弾性糸を用いることがより好適である。
産業上の利用分野
本発明の被服は、次の様な機能を発揮し得る下肢部サポート用被服が提供される。
（１）本発明の下肢部サポート用被服は、伸縮性を有し、脚部にフィットさせて着用するほぼ筒状の下肢部サポート用被服で、膝関節をカバーし、且つ少なくとも膝関節を上下に越える長さを有し、当該被服は比較的緊締力の強い伸縮性部を有し、前記比較的緊締力の強い伸縮性部が、人体の膝関節の内側側面の側副靭帯を実質的にカバーし、前記膝関節の内側側面の比較的緊締力の強い伸縮性部の緊締力が、膝関節の外側側面をカバーする部分の緊締力よりも強い緊締力を有している。
従って本発明のほぼ筒状の下肢部サポート用被服は、比較的緊締力の強い伸縮性部が、人体の膝関節の内側側面の側副靭帯を実質的にカバーし、前記膝関節の内側側面の比較的緊締力の強い伸縮性部の緊締力が、膝関節の外側側面をカバーする部分の緊締力よりも強い緊締力を有しているので、膝を保護し、膝関節を安定に保ち、しかも膝関節の動きの自由度をあまり低下させず、着用感も良好で、膝の不安定さから生じる膝痛などの予防や、軽減、さらには、スポーツその他で生じる内側側副靭帯損傷の予防にも有用な下肢部サポート用被服を提供できる。
（２）また、伸縮性を有し、脚部にフィットさせて着用するほぼ筒状の下肢部をサポートする被服で、膝関節をカバーし、且つ膝関節から上方の部分は大腿部の長さの１／２以上の長さを有しており、膝関節から下方の部分は膝蓋骨下端から２ｃｍ以上の長さを有している下肢部をサポートする被服であって、当該被服は比較的緊締力の強い伸縮性部を有し、前記比較的緊締力の強い伸縮性部として、人体の膝関節の内側側面の側副靭帯を実質的にカバーし、且つ膝関節の上方においては、少なくとも大腿部の長さの１／４以上の長さを有していて、縫工筋、半腱様筋、半膜様筋及び薄筋からなる筋群から選ばれたいずれか少なくとも１つに沿って設けられている比較的緊締力の強い伸縮性部（Ａ）を有し、前記膝関節の内側側面の比較的緊締力の強い伸縮性部の緊締力が、膝関節の外側側面をカバーする部分の緊締力よりも強い緊締力を有してなる下肢部サポート用被服においては、膝関節をカバーし、且つ膝関節から上方の部分は大腿部の長さの１／４以上の長さを有しており比較的緊締力の強い伸縮性部（Ａ）が内側側副靭帯をサポートし、さらに（Ａ）が膝関節の上方において、前記内側側副靭帯の上に存在して上方に伸びている縫工筋、半腱様筋、半膜様筋及び薄筋からなる筋群から選ばれたいずれかをサポートしており、このように上方に伸びている部分で内側側副靭帯をサポートしている比較的緊締力の強い伸縮性部を引っ張るようなパワーが作用するので、より内側側副靭帯のサポート力が向上し、また、内側側副靭帯とともに膝関節をサポートしている縫工筋、半腱様筋、半膜様筋及び薄筋のいずれか少なくとも一つを比較的緊締力の強い伸縮性部がサポートするのでこの両者の総合作用から、膝を保護し、膝関節を安定に保ち、しかも膝関節の動きの自由度をあまり低下させず、着用感も良好で、膝の不安定さから生じる膝痛などの予防や、軽減、さらには、スポーツその他で生じる内側側副靭帯損傷の予防にも有用な下肢部サポート用被服を提供できる。
（３）また、伸縮性を有し、脚部にフィットさせて着用するほぼ筒状の下肢部をサポートする被服で、膝関節をカバーし、且つ膝関節から上方の部分は大腿部の長さの１／２以上の長さを有しており、膝関節から下方の部分は膝関節から踝までの下腿部の長さの１／２以上の長さを有している下肢部をサポートする被服であって、当該被服は比較的緊締力の強い伸縮性部を有し、前記比較的緊締力の強い伸縮性部として、人体の膝関節の内側側面の側副靭帯を実質的にカバーし、且つ膝関節の上方においては、少なくとも大腿部の長さの１／４以上の長さを有していて、縫工筋、半腱様筋、半膜様筋及び薄筋からなる筋群から選ばれたいずれか少なくとも１つに沿って設けられている比較的緊締力の強い伸縮性部（Ａ）を有し、前記膝関節の内側側面の比較的緊締力の強い伸縮性部の緊締力が、膝関節の外側側面をカバーする部分の緊締力よりも強い緊締力を有してなる下肢部サポート用被服においては、大腿部をカバーする長さが少なくとも大腿部の長さの１／２以上の長さを有し、しかも、膝関節から下方の部分は膝関節から踝までの下腿部の長さの１／２以上の長さを有していることにより、（２）項で述べた大腿部上側に伸びている部分で内側側副靭帯をサポートしている比較的緊締力の強い伸縮性部を引っ張るようなパワーがより強く作用するので、より内側側副靭帯のサポート力が向上した下肢部サポート用被服が提供でき好ましい。
（４）また、伸縮性を有し、脚部にフィットさせて着用するほぼ筒状の下肢部をサポートする被服で、膝関節をカバーし、且つ膝関節から上方の部分は大腿部の長さの１／２以上の長さを有しており、膝関節から下方の部分は膝関節から踝までの下腿部の長さの１／２以上の長さを有している下肢部をサポートする被服であって、当該被服は比較的緊締力の強い伸縮性部を有し、前記比較的緊締力の強い伸縮性部として、人体の膝関節の内側側面の側副靭帯を実質的にカバーし、且つ膝関節の上方においては、少なくとも大腿部の長さの１／２以上の長さを有していて、縫工筋、半腱様筋、半膜様筋及び薄筋からなる筋群から選ばれたいずれか少なくとも１つに沿って設けられている比較的緊締力の強い伸縮性部（Ａ）を有し、前記膝関節の内側側面の比較的緊締力の強い伸縮性部の緊締力が、膝関節の外側側面をカバーする部分の緊締力よりも強い緊締力を有してなる下肢部サポート用被服においては、大腿部をカバーする長さが少なくとも大腿部の長さの１／２以上の長さを有し、しかも、膝関節から下方の部分は膝関節から踝までの下腿部の長さの１／２以上の長さを有していて、しかも比較的緊締力の強い伸縮性部が、人体の膝関節の内側側面の側副靭帯を実質的にカバーし、且つ膝関節の上方においては、少なくとも大腿部の長さの１／２以上の長さを有していてることにより、比較的緊締力の強い伸縮性が上方により長く伸びているので、内側側副靭帯をサポートしている比較的緊締力の強い伸縮性部を引っ張るようなパワーがより強く作用するので、より内側側副靭帯のサポート力が向上した下肢部サポート用被服が提供でき好ましい。
（５）また、下肢部サポート用被服が、膝関節をカバーし、且つ膝関節から上方の部分は膝関節から股下までの大腿部の長さの１／２以上の長さを有しており、膝関節から下方の部分は膝関節から踝までの長さを有している被服である前記（３）項または（４）項のいずれかに記載の本発明の好ましい態様の下肢部サポート用被服とすることにより、膝関節から下方の部分は膝関節から踝までの長さを有しているので、締め付け圧力に敏感な大腿部への締め付け面積を少なくしても、内側側副靭帯のサポート力が向上した下肢部サポート用被服が提供でき好ましい。
（６）また、比較的緊締力の強い伸縮性部（Ａ）で表わされる部分が、人体の膝関節の内側側面の側副靭帯を実質的にカバーし、更に、膝蓋骨の人体内側側部側のほぼ周囲近辺に沿って少なくとも膝蓋骨の周囲のほぼ１／４以上を取り囲んでいて膝蓋骨の下側部分の少なくとも一部をカバーし、内側の腓腹筋の上部側方に至っており、膝関節上側においては、大腿部をその内側から前側を通り外側に向かってほぼ縫工筋に沿っている比較的緊締力の強い伸縮性部（Ａ３１）である前記（３）項または（４）項のいずれかに記載の本発明の好ましい態様の下肢部サポート用被服とすることにより、比較的緊締力の強い伸縮性部が膝蓋骨の下側部分の少なくとも一部をカバーし膝蓋骨を下側から引き上げるようにサポートでき膝関節の安定性を向上するとともに、更に縫工筋をサポートし、大腿部を内側から外側に向かって斜めに被服上端に至るまで螺旋状に比較的緊締力の強い伸縮性部が存在するので、内側側副靭帯をサポートしている比較的緊締力の強い伸縮性部を引っ張るようなパワーが更に強められ、より内側側副靭帯のサポート力が向上した下肢部サポート用被服が提供でき好ましい。更に、内側側副靭帯の機能を補助している縫工筋をサポートでき好ましい。
（７）また、比較的緊締力の強い伸縮性部（Ａ３１）で表わされる部分が、更に内側の腓腹筋側方から内側ヒラメ筋側方を通り内踝上近傍に至っている比較的緊締力の強い伸縮性部（Ａ３１−１）を有している前記（６）項に記載の本発明の好ましい態様の下肢部サポート用被服とすることにより、比較的緊締力の強い伸縮性部（Ａ３１）で表わされる部分が、更に（Ａ３１−１）を有しているので、腓腹筋、ヒラメ筋の機能を妨げずに側方から腓腹筋、ヒラメ筋をサポートし、下端が内踝上近傍に至っているので、比較的緊締力の強い伸縮性部が長くなり、内側側副靭帯をサポートしている比較的緊締力の強い伸縮性部を引っ張るようなパワーが更に一層強められ、より内側側副靭帯のサポート力が向上した下肢部サポート用被服が提供でき好ましい
（８）また、比較的緊締力の強い伸縮性部（Ａ３１）で表わされる部分が、更に、膝蓋骨の人体内側側部側のほぼ周囲近辺から膝蓋骨の上側部分の少なくとも一部をカバーしている比較的緊締力の強い伸縮性部である前記（６）項に記載の本発明の好ましい態様の下肢部サポート用被服とすることにより、比較的緊締力の強い伸縮性部（Ａ３１）が、更に膝蓋骨の上側部分の少なくとも一部もカバーしているので膝蓋骨の下側部分と両方から膝関節のサポートができ、より膝関節の安定性を保つことができ好ましい。
（９）また、更に、被服上端からほぼ腸脛靭帯に沿って下降し膝蓋骨の外側側部側に至り、膝蓋骨の下側部分の少なくとも一部をカバーし、外側の腓腹筋の上部側方に至っている比較的緊締力の強い伸縮性部（Ｂ３）を有している前記（６）項に記載の本発明の好ましい態様の下肢部サポート用被服とすることにより、比較的緊締力の強い伸縮性部（Ｂ３）を更に有しているので、膝を両側からサポートでき、膝関節のサポートがより強化される。
（１０）また、比較的緊締力の強い伸縮性部（Ａ）で表わされる部分が、人体の膝関節の内側側面の側副靭帯を実質的にカバーし、更に、膝蓋骨の人体内側側部側のほぼ周囲近辺に沿って少なくとも膝蓋骨の周囲のほぼ１／４以上を取り囲んでいて膝蓋骨の下側部分の少なくとも一部をカバーし、内側の腓腹筋の上部側方に至っており、膝関節上側においては、大腿部をほぼ半腱様筋、半膜様筋及び薄筋からなる筋群から選ばれた少なくとも１種の筋肉に沿って被服上端部に至っている比較的緊締力の強い伸縮性部（Ａ３２）である前記（２）項または（３）項のいずれかに記載の本発明の好ましい態様の下肢部サポート用被服とすることにより、比較的緊締力の強い伸縮性部が膝蓋骨の下側部分の少なくとも一部をカバーし膝蓋骨を下側から引き上げるようにサポートでき膝関節の安定性を向上するとともに、更に大腿部の内側に存在する半腱様筋、半膜様筋及ないしは薄筋の少なくとも１種の筋肉をサポートし、内側側副靭帯をサポートしている比較的緊締力の強い伸縮性部を引っ張るようなパワーが強められ、より内側側副靭帯のサポート力が向上した下肢部サポート用被服が提供でき好ましい。更に、内側側副靭帯の機能を補助している半腱様筋、半膜様筋及ないしは薄筋の少なくとも１種の筋肉をサポートでき好ましい。
（１１）また、更に、被服上端部からほぼ腸脛靭帯に沿って下降し膝蓋骨の外側側部側に至り、膝蓋骨の下側部分の少なくとも一部、又は、膝蓋骨の上側部分及び下側部分の少なくとも一部をカバーし、外側の腓腹筋の上部側方に至っている比較的緊締力の強い伸縮性部（Ｂ３）を有している前記（６）項に記載の本発明の好ましい態様の下肢部サポート用被服とすることにより、比較的緊締力の強い伸縮性部（Ｂ３）を更に有しているので、膝を両側からサポートでき、膝関節のサポートがより強化される。
（１２）また、膝関節の内側側面の側副靭帯上に存在する比較的緊締力の強い伸縮性部の少なくとも前記側副靭帯上の領域を、被服本体の縫製ラインが通っていない前記（１）項または（２）項のいずれかに記載の本発明の好ましい態様の下肢部サポート用被服とすることにより、内側側副靭帯上に存在する比較的緊締力の強い伸縮性部の少なくとも前記内側側副靭帯上の領域を、被服本体の縫製ラインが通っていると、縫製ラインにより伸縮性が低下するので、内側側副靭帯をサポートするパワーが不十分になる。上記本発明の好ましい態様とすることにより、内側側副靭帯上に存在する比較的緊締力の強い伸縮性部の緊締力が十分に発揮され好ましい。
（１３）また、比較的緊締力の強い伸縮性部が、（ａ）編み組織の切り替え、または、（ｂ）編み組織の切り替えと使用される弾性糸の太さまたは弾性糸の使用本数密度の変化の組み合わせから選ばれたいずれかの手法により形成されている前記（１）項または（２）項のいずれかに記載の本発明の好ましい態様の下肢部サポート用被服とすることにより、比較的緊締力の強い伸縮性部を被服本体に所定形状の伸縮性生地を重ね合わせてそれを縫合させることによって形成した場合に比べて、比較的緊締力の強い伸縮性部の厚みをより薄いものとすることができ、上述のような当て布を用いた場合に当て布の部分が厚くなり、縁部に段差が生じて、外観を低下させることがなく好ましい。
（１４）また、編み組織の切り替えが、（Ｉ）丸編みの編み組織の切り替え、または、（II）ジャカードラッシェル編みないしジャカードトリコット編みの地編み組織の切り替えである前記（１３）項に記載の本発明の好ましい態様の下肢部サポート用被服とすることにより、上記編み組織の切り替えは、近年、これらの編み技術の改良により、容易に任意の形状の比較的緊締力の強い伸縮性部を形成でき、前述の如く比較的緊締力の強い伸縮性部の厚みを薄いものとすることができ、縁部に段差が生じて、外観を低下させることがなく好ましい。
（１５）また、筒状の下肢部サポート用被服が、端部始末不要な上下端部を有するパワーネットからなり、筒状の下肢部サポート用被服の上下端部が前記パワーネットの端部始末不要な上下端部となるようにした前記（１）項または（２）項のいずれかに記載の本発明の好ましい態様の下肢部サポート用被服とすることにより、生地の縁からほつれが発生しないように、筒状の下肢部サポート用被服の上下の端部を折り返して縫製する、いわゆる「端始末」処理をする必要がなく、従って下肢部サポート用被服の上下の端部に段差が生じない。端部が厚くならないので、着用感が良好で、しかもパワーネットを用いているのでソフトに脚部に密着し、ゴムテープなどを上下の端部に取り付けなくても、ずり下がりやずり上がり防止機能も発揮でき好ましい。
【図１】
0003737759.tif 000002
【図２】
0003737759.tif 000003
【図３】
0003737759.tif 000004
【図４】
0003737759.tif 000005
【図５】
0003737759.tif 000006
【図６】
0003737759.tif 000007
【図７】
0003737759.tif 000008
【図８】
0003737759.tif 000009
【図９】
0003737759.tif 000010
【図１０】
0003737759.tif 000011
【図１１】
0003737759.tif 000012
【図１２】
0003737759.tif 000013
【図１３】
0003737759.tif 000014
【図１４】
0003737759.tif 000015
【図１５】
0003737759.tif 000016
【図１６】
0003737759.tif 000017
【図１７】
0003737759.tif 000018
【図１８】
0003737759.tif 000019
【図１９】
0003737759.tif 000020
【図２０】
0003737759.tif 000021
【図２１】
0003737759.tif 000022
【図２２】
0003737759.tif 000023
【図２３】
0003737759.tif 000024
【図２４】
0003737759.tif 000025
【図２５】
0003737759.tif 000026
【図２６】
0003737759.tif 000027
【図２７】
0003737759.tif 000028
【図２８】
0003737759.tif 000029
【図２９】
0003737759.tif 000030
【図３０】
0003737759.tif 000031
【図３１】
0003737759.tif 000032
【図３２】
0003737759.tif 000033
【図３３】
0003737759.tif 000034
【図３４】
0003737759.tif 000035